(57)【要約】      （修正有）【課題】受験者が試験終了後に、試験問題と解答結果の検証を容易かつ確実、簡便に行うことを可能にする。【解決手段】解答されたマークシート７００へ、受験者が正答ならびに誤答を把握できるよう、○×を印字したマークシート７０１をＯＣＲにて読み取り、電子ファイル化する。多重回線対応のモデム付パソコンサーバーにその電子ファイルを納めておき、電話ファクシミリ等で、受験者らが受験番号等をキーワードにして、その電子ファイルのイメージを取り出すことを可能とする。【選択図】図１
2012094137.tif 000002
【特許請求の範囲】
【請求項１】
正答および誤答を印字したマークシートを読み取って、電子ファイル化し、データベースに保管して、電話ファクシミリでマークシートのイメージを取り出すことのできるシステム。
【発明の詳細な説明】
【技術分野】
【０００１】
本発明は、マークシートの解答を管理するシステムに関する。
【発明の概要】
【発明が解決しようとする課題】
【０００２】
試験につかったマークシートを機械で読み取って、受験者毎に、獲得点数を計数処理し、試験の合否判定をすることは可能である。受験者は試験開催中に個々の試験問題の解答に際して、マークシートの記入と同時にメモ用紙や試験問題の冊子の四隅へ解答を補助的に書き込んで、試験終了後の後々に合否判定の照らし合わせを行うことがある。受験者は、試験終了後にマークシートそのものの記入結果を伺い知るようなことはなく、マークシートへ記入したマークの位置を記憶に残すまでもない。試験中にマークシートの記入と併記した解答結果を、試験終了後に後々、照らしあわせて、試験を見直し、効果測定をすることがある。試験終了後、試験の合否判定の通知や掲示がほとんどである。試験問題の解答を知ろうとするときには、大抵は、試験問題解答集等の書籍や、試験を開催している団体等のホームページに模範解答が転載されているのが現状であって、試験問題の解答でしか、受験者は検証できないし、試験開催中にメモ用紙や試験問題の冊子等の四隅に解答を併記するために、時間を費やしているデメリットが残されていた。
【発明の効果】
【０００３】
受験者が解答したマークシートを読み取って、試験問題毎に正答や誤答を取り出し、さらにＯＣＲ（オプティカル・キャラクタ・リーダー）で電子ファイル化して、受験者毎にデータベース上に納める。電子ファイル化した後には、マークシート欄に正答や誤答の○×を印字して、再度、電子ファイル化を行って、受験者毎にデータベース上に納める。モデムを装備したパソコンサーバーに電子ファイルを転送して、受験者による解答の取り出しに備える。受験者はパソコンサーバーに電話をかけて、自動音声案内にしたがい、受験番号等を入力して、一旦電話を切る。数分後にパソコンサーバは受験者の登録情報を元に電子ファイルをイメージデータに変換して、受験者のもとの電話ファクシミリに自動通話せしめて、マークシートの解答結果を手に取ることができる。このことで、試験問題とマークシートとの照らし合わせを正確に行うことができて、試験を見直すことが容易にでき、試験勉強の効果測定を簡単に行うことが可能になる。また、試験開催中にメモ用紙や試験問題の冊子等の四隅に解答をわざわざマークシートと併記する必要もなくなる。
【図面の簡単な説明】
【０００４】
【図１】解答されたマークシート。
【図２】マークシートを電子ファイル化してパソコンサーバに納めるまでの手順である。
【図３】システム構成図である。
【図４】電話ファクシミリにおいてのオペレーションである。主にモデム付ノパソコンサーバ上での処理に依存している。
【先行技術文献】
【特許文献】
【０００５】
特願２００５−２４３０９５  ファクシミリ装置
【実施例】
【０００６】
本発明は、解答されたマークシートを一元的に取りまとめ、受験者個人に試験結果を提供できるシステムであり、インターネット回線をつかって、電子ファイルを取り出すようなことも技術的に可能ではある。近年、スマートフォンのブラウジング機能が強化されていることから、手軽に試験の解答結果を電子ファイルとして取り出して表示するようなことが可能である。マークシートに正誤答を印字する場合、マークシート読取装置の出力をシリアル通信あるいはパラレル通信接続によって、プリンターと接続されたパソコンへ正答および誤答の情報を転送して、印字する際の位置関係をパソコンにて計数処理して、プリンターへ印字することは可能である。つまり、表計算ソフトのマクロ機能を流用して印字させたり、個別に印字専門のソフトウェアを開発してもよい。計数処理とは、通常のマークシートでは、解答欄は規則的に並んでおり、マークシートの読取結果とを照らし合わせれば、簡便な加算と積算で正誤答の位置関係を計算できることにある。電子ファイル化を実行するにあたっては、スキャナーでマークシートを読み取って、媒体に書き込むようなことが可能であって、市場で市販されているものをそのまま流用できる。マークシートをイメージデータとして読み取るスキャナーは、たいていパソコンにつながれており、モデム付のパソコンサーバへスキャナーで読み取った電子ファイルを手作業で複写するようなことも想定されるが、モデム付のパソコンサーバと、スキャナーと接続されたパソコン間のＬＡＮ接続においては、パソコンのファイル共有機能を利用して、電子ファイルを転送したりすることは可能である。さらに、パソコンサーバをデータセンターに設置して、複数の受験者らのアクセスに対処するよう多重化された電話回線をデータセンター内に用意しておいて、解答結果を待ち望む受験者らの多重アクセスにのぞめるようなこともできる。マークシートを回収して集計する地と、遠隔に離れたデータセンター間をインターネット回線で結び、ＯＳＩ（Ｏｐｅｎ  Ｓｙｓｔｅｍｓ  Ｉｎｔｅｒｃｏｎｎｅｃｔｉｏｎ）の７層モデルで接続してファイルを転送して、スキャナーで読み取った電子ファイルを転送するようなこともできる。スキャナーと接続したパソコンとモデム付のパソコンサーバに、独自のプログラムを開発してインストールするなどして、システム全体を完全に自動化することも可能だ。ファクシミリを使ってマークシートを呼び取り寄せる際に、モデム付のパソコンサーバは、まず、電話の着信番号をもとに受験者を特定して、電話の発信元へ音声案内を再生して、受験番号等の入力を発信元に促す。入力はＤＴＭＦ（Ｄｕａｌ−Ｔｏｎｅ  Ｍｕｌｔｉ−Ｆｒｅｑｕｅｎｃｙ）信号として、モデム付のパソコンサーバは認識することができるから、入力情報をもとにデータベースから受験者の電子ファイルを抽出し、同時にイメージファイルを作成後、再度、発信元に電話を切るよう音声案内を流して、発信者は電話を切る。モデム付のパソコンサーバは、その後に発信元に向けて、マークシートのイメージファイルをファックスする。
【符号の説明】
【０００７】
７００  解答されたマークシート
７０１  解答されたマークシートに正誤答を印字したものである。正誤答を印字するための印字位置は、先にマークシートを機械で読み取った情報を位置情報に計数処理して、規則正しいマークシートの解答欄であるから、位置関係を特定でき、正誤答を適切に印字できる。
８００  モデムを搭載したパソコンサーバであって、電子ファイルを格納するハードディスクドライブを搭載している。また、電子ファイルをイメージファイルに変換したり、受験者らの電話ファクシミリの応対を専門に行うプログラムや受験者番号等の情報が格納されている。
８０１  受験者毎に電子ファイルを格納しているハードディスクドライブや受験者らの電話ファクシミリの応対を専門に行うプログラムや受験者番号等の情報を格納している。
８０２  電話回線
８０３  電話公衆網
８０４  電話回線（宅内）
８０５  ファクシミリ付電話機
８０６  試験結果（マークシート）を取り出そうとして電話をかける受験者（発信者）
【図１】
2012094137.tif 000003
【図２】
2012094137.tif 000004
【図３】
2012094137.tif 000005
【図４】
2012094137.tif 000006